(57)【要約】    【課題】  ケース内のロータの回転で流動体の流れを制御するロータリーバルブにおいて、ケースとロータの間で、密閉性を高くし易くする。摩擦による発熱や磨耗を発生し難くする。    【解決手段】  ケース１は、円筒形状にして軸心を左右方向に配置し、上側と下側の部分に入口２と出口３を開口する。ロータ１１のポケット構成部１３はケース１に嵌合する。ケースは、中央部と左右の端部の３部分に区分し、中央部に入口と出口を配置する。ポケット構成部は、丸軸形状体にし、中央部と左右の端部の３部分に区分し、中央部の外周面にポケット１５を開口する。ポケット構成部は、ポケットのある中央部をケースの入口、出口のある中央部に、左右の端部をケースの左右の端部に嵌合する。ケースとポケット構成部は、左右の端部で、内周面と外周面の全周面が対面し、その内周面又は外周面に潤滑溝３１を周方向に沿って設け、潤滑溝に潤滑材を入れる構成にする。【選択図】  図１
2014069920.tif 000002
【特許請求の範囲】
【請求項１】
ケース内のロータの回転で流動体の流れを制御するロータリーバルブにおいて、
ケースは、円筒形状にして軸心を左右方向に配置し、上側部分と下側部分に入口と出口を開口し、
ロータは回転軸にポケット構成部を設け、ポケット構成部はケースに嵌合し、
ロータを回転してケースの入口に流動体を供給すると、流動体は、ロータの上側位置に達したポケットに流入し、ロータが更に回転すると、ポケット内の流動体は、ケースの出口に流出する構成にしているロータリーバルブであって、
ケースは、中央部と左右の端部の３部分に区分し、中央部に入口と出口を配置し、
ポケット構成部は、丸軸形状体にし、中央部と左右の端部の３部分に区分し、中央部の外周面にポケットを開口し、
このポケット構成部は、ポケットのある中央部をケースの入口、出口のある中央部に、左右の端部をケースの左右の端部に嵌合していることを特徴とするロータリーバルブ。
【請求項２】
ポケットの個数は、１個、２個又は３個にしていることを特徴とする請求項１に記載のロータリーバルブ。
【請求項３】
ケースとポケット構成部は、左右の端部で、それぞれ、内周面と外周面の全周面が対面し、その内周面又は外周面に潤滑溝を周方向に沿って設け、潤滑溝に潤滑材を入れる構成にしていることを特徴とする請求項１又は２に記載のロータリーバルブ。
【請求項４】
潤滑溝は、無端の円環形状又は有端の円弧形状にしていることを特徴とする請求項３に記載のロータリーバルブ。
【請求項５】
左右の潤滑溝を連通する潤滑溝を設けていることを特徴とする請求項３又は４に記載のロータリーバルブ。
【請求項６】
潤滑材は、潤滑材としても作用する凝集剤にしていることを特徴とする請求項３、４又は５に記載のロータリーバルブ。
【請求項７】
流動体は、凝集剤を含むもの又は後に凝集剤が添加されるものにしていることを特徴とする請求項１〜６のいずれかに記載のロータリーバルブ。
【請求項８】
流動体は、汚泥又は汚水にしていることを特徴とする請求項１〜７のいずれかに記載のロータリーバルブ。
【発明の詳細な説明】
【技術分野】
【０００１】
本発明は、ケース内のロータの回転で流動体の流れを制御するロータリーバルブに関する。
【背景技術】
【０００２】
ロータリーバルブは、円筒形状のケースの軸心を左右方向に配置し、ケースにロータを同心状に嵌合している。ケースは、左右の開口端に端板を固定している。左右の端板は、中心孔を開け、中心孔にロータの回転軸の左右の端部を貫通している。ロータの回転軸は、左右の端部を左右の端板に軸受けしている。ケースは、周壁の上側部分に入口を開口し、入口に供給管を接続している。また、周壁の下側部分に出口を開口し、出口に排出管を接続している。
【０００３】
ロータは、回転軸の中央部の外周りに数枚の羽根を放射状に取り付けている。回転軸は、羽根の左右の位置に円板形状の側板を同心状に取り付けている。左右の側板と２枚の隣り合う羽根及び回転軸で凹部を構成している。凹部は、流動体を入れるポケットにしている。ポケットは、数個を回転軸の外周りに等間隔に配置している。ポケットの個数は、４個又は８個にしている。回転軸は、片端の端部を電動機のような回転駆動装置に連結する構成にしている。
【０００４】
回転駆動装置でロータを回転し、供給管に流動体を供給すると、供給管内の流動体は、ケースの入口に入り、回転中のロータの上側位置に達したポケットに流入する。ロータが更に回転すると、ポケット内の流動体は、ロータの下側位置に達し、ケースの出口に入って排出管に流出する。流動体は、入口から入り、回転中のロータを通過して、出口に出る。
【０００５】
ロータの回転速度を増減すると、流動体がロータを通過する量が増減する。ロータの回転速度で入口から出口への流量を増減する。ロータの回転を止めると、停止中のロータで入口と出口が閉鎖する。流動体がロータを通過しなくなる。ロータの回転と停止で入口から出口への通路を開閉する。即ち、ロータの回転で流動体の流れを制御する。
【先行技術文献】
【特許文献】
【０００６】
【特許文献１】特開２００９−２６３０５１号公報
【発明の概要】
【発明が解決しようとする課題】
【０００７】
［課  題］
上記のようなロータリーバルブにおいて、流動体が臭気のあるもの、気体や液体を含むものであるときには、臭気、気体や液体が外部に漏れることがある。臭気のある流動体には、廃液の汚泥や汚水、焙煎済みの豆類が例示される。気体を含む流動体には、空気輸送中の粉粒体が例示される。液体を含む流動体には、汚泥や汚水のような固液混合体が例示される。
【０００８】
ロータリーバルブは、密閉性を得るため、ケースの内周面とロータの外周面を接触又は接近させている。ケースの内周面、固定面とロータの外周面、移動面の対面する部分は、密閉性を得るシーリング面を構成している。シーリング面が広い程、密閉性が高くなる。
【０００９】
ところが、ロータの外周面は、ポケットの開口縁、即ち、左右の側板の外周面と数枚の羽根の外端面であり、面積が狭い。シーリング面が広くならない。密閉性が高いとは言い難い。
ケースの固定面とロータの移動面は、接触していると、密閉性が高くなるが、摩擦によって発熱や磨耗が発生することになる。ケースの固定面とロータの移動面は、接触せずに、接近していると、摩擦による発熱や磨耗が発生しないが、密閉性が高くなり難い。
ロータリーバルブにおいては、密閉性が高くなり易いことが望まれる。また、摩擦による発熱や磨耗が発生し難いことが望まれる。
【００１０】
［着  想］
１．ロータとケースの構成
ポケット形のロータは、小径の回転軸に大径のポケット構成部を設けている。ポケット構成部は、羽根や側板で構成するのではなく、丸軸形状体にする。丸軸形状体のポケット構成部は、中央部と左右の端部の３部分に区分し、中央部の外周面に凹部、ポケットを開口する。ポケットは、個数を１個、２個又は３個にする。
円筒形状のケースは、中央部と左右の端部の３部分に区分し、中央部の上側部分と下側部分に入口と出口を設ける。
ロータのポケット構成部は、ポケットのある中央部をケースの入口、出口のある中央部に、左右の端部をケースの左右の端部に嵌合する。
【００１１】
すると、ポケット構成部とケースは、左右の端部で、外周面と内周面の全周面が対面することになる。左右の端部を長くすると、シーリング面が広くなる。また、ポケット構成部とケースは、中央部で、ポケット部分以外の外周面と入口出口部分以外の内周面が対面することになる。ポケットの個数は１個、２個又は３個にすると、ポケット部分以外の外周面が広くなる。シーリング面が広くなる。
シーリング面が広くなり易く、密閉性が高くなり易い。
【００１２】
２．潤滑溝と潤滑材
ロータのポケット構成部とケースは、左右の端部で、それぞれ、外周面と内周面の全周面が、ロータの回転位置に関係なく、常に対面することになる。
【００１３】
ケースは、左右の端部の内周面に潤滑溝を周方向に沿って設け、潤滑溝に潤滑材を入れる構成にする。又は、ポケット構成部は、左右の端部の外周面に潤滑溝を周方向に沿って設け、潤滑溝に潤滑材を入れる構成にする。潤滑溝は、無端の円環形状又は有端の円弧形状にする。また、左右の潤滑溝を連通する潤滑溝を設ける。
【００１４】
潤滑溝に入れた潤滑材は、ケースの内周面とポケット構成部の外周面の間の隙間に流出することになる。その隙間は、潤滑材が充満して閉鎖することになる。密閉性が高くなる。また、ケースの内周面とポケット構成部の外周面が接触して摩擦しても、潤滑材が作用し、発熱や磨耗が発生し難くなる。
【００１５】
３．潤滑材としての凝集剤
ケースとロータのポケット構成部の間の隙間に潤滑溝から流出した潤滑材は、入口、ポケットや出口に漏れ出て流動体に混入することがある。
【００１６】
一方、廃液の処理に用いる凝集剤は、廃液の汚泥や汚水に添加し、汚泥や汚水中の微細粒子を合体させて綿状固まり、フロックを形成する。このような凝集剤は、各種のものがあり、潤滑材としても作用するものがある。例えば、流動性のある凝集剤や粘性のある凝集剤は、潤滑材としても作用する。
【００１７】
流動体が汚泥や汚水のように凝集剤を含むものであるとき、又は、後に凝集剤が添加されるものであるときは、潤滑溝に入れる潤滑材は、潤滑材としても作用する凝集剤にする。この凝集剤は、ケースとポケット構成部の間の隙間から漏れ出て流動体に混入しても、弊害が生じ難い。
【課題を解決するための手段】
【００１８】
１．ケース内のロータの回転で流動体の流れを制御するロータリーバルブにおいて、
ケースは、円筒形状にして軸心を左右方向に配置し、上側部分と下側部分に入口と出口を開口し、
ロータは回転軸にポケット構成部を設け、ポケット構成部はケースに嵌合し、
ロータを回転してケースの入口に流動体を供給すると、流動体は、ロータの上側位置に達したポケットに流入し、ロータが更に回転すると、ポケット内の流動体は、ケースの出口に流出する構成にしているロータリーバルブであって、
ケースは、中央部と左右の端部の３部分に区分し、中央部に入口と出口を配置し、
ポケット構成部は、丸軸形状体にし、中央部と左右の端部の３部分に区分し、中央部の外周面にポケットを開口し、
このポケット構成部は、ポケットのある中央部をケースの入口、出口のある中央部に、左右の端部をケースの左右の端部に嵌合していることを特徴とする。
２．上記１のロータリーバルブにおいて、
ポケットの個数は、１個、２個又は３個にしていることを特徴とする。
３．上記１又は２のロータリーバルブにおいて、
ケースとポケット構成部は、左右の端部で、それぞれ、内周面と外周面の全周面が対面し、その内周面又は外周面に潤滑溝を周方向に沿って設け、潤滑溝に潤滑材を入れる構成にしていることを特徴とする。
４．上記３のロータリーバルブにおいて、
潤滑溝は、無端の円環形状又は有端の円弧形状にしていることを特徴とする。
５．上記３又は４のロータリーバルブにおいて、
左右の潤滑溝を連通する潤滑溝を設けていることを特徴とする。
６．上記３、４又は５のロータリーバルブにおいて、
潤滑材は、潤滑材としても作用する凝集剤にしていることを特徴とする。
７．上記１〜６のいずれかのロータリーバルブにおいて、
流動体は、凝集剤を含むもの又は後に凝集剤が添加されるものにしていることを特徴とする。
８．上記１〜７のいずれかのロータリーバルブにおいて、
流動体は、汚泥又は汚水にしていることを特徴とする。
【発明の効果】
【００１９】
ケースとロータのポケット構成部の間で、密閉性が高くなり易い。摩擦による発熱や磨耗が発生し難い。
【図面の簡単な説明】
【００２０】
【図１】本発明の実施形態の第１例におけるロータリーバルブの縦断正面図。
【図２】図１のＡ−Ａ線断面図。
【図３】図１のＢ−Ｂ線断面拡大図。
【図４】同ロータリーバルブに流動体を供給した状態を太い矢印で示す図であって、図２と同様な断面図。
【図５】同ロータリーバルブのロータが四分の一回転した状態を示す図であって、図２と同様な断面図。
【図６】同ロータが半回転した状態を示す図であって、図２と同様な断面図。
【図７】同ロータが四分の三回転した状態を示す図であって、図２と同様な断面図。
【図８】実施形態の第２例におけるロータリーバルブの縦断正面図。
【図９】図８のC−C線断面図。
【図１０】図８のD−D線断面拡大図。
【図１１】第３例におけるロータリーバルブの縦断正面図。
【図１２】図１１のE−E線断面拡大図。
【発明を実施するための形態】
【００２１】
［第１例（図１〜図７参照）］
〈構  成〉
本例のロータリーバルブは、図１〜図３に示すように、ケース１を円筒形状にして軸心を左右方向に配置している。ロータ１１は、回転軸１２の中央部にポケット構成部１３を同心状に設けている。
【００２２】
ケース１は、中央部１aと左右の端部１bの３部分に区分している。中央部１aは、周壁の上側部分と下側部分にそれぞれ入口２と出口３を上下方向に開口している。入口２と出口３は、形状寸法を同一にしている。入口２には、その上側に短い供給管４を接続している。出口３には、その下側に短い排出管５を接続している。供給管４の上端と排出管５の下端は、それぞれ、管を接続可能にしている。
【００２３】
ロータ１１は、ポケット構成部１３を回転軸１２より大径の丸軸形状体にしている。丸軸形状体１３は、軸心位置に中心孔を形成して厚肉円筒形状にし、中心孔に回転軸１２の中央部を嵌合している。丸軸形状体１３と回転軸１２は、キー１４を介在して回り止めを施している。回転軸１２とポケット構成部１３は、一体になって回転する構成にしている。
【００２４】
ポケット構成部１３は、中央部１３aと左右の端部１３bの３部分に区分している。中央部１３aは、外周面に凹部、ポケット１５を開口している。ポケット１５は、開口の形状寸法をケース１の入口２、出口３とほぼ同一にしている。ポケット１５の個数は、１個にしている。
ケース１、供給管４と排出管５は、金属製又は合成樹脂製にしている。回転軸１２は、金属製にしている。ポケット構成部の丸軸形状体１３は、合成樹脂製、木材製又は金属製にしている。
【００２５】
ポケット構成部１３は、ポケット１５のある中央部１３aをケース１の入口２、出口３のある中央部１aに同心状に嵌合している。また、ポケット構成部１３は、左右の端部１３bをそれぞれケース１の左右の端部１bに同心状に嵌合している。ポケット構成部１３とケース１は、中央部１３a、１aと左右の端部１３b、１aで、それぞれ、外周面と内周面が接近している。ポケット構成部１３は、ケース１内で軸心を中心軸として回転可能にしている。
【００２６】
ケース１内のポケット構成部１３が回転すると、ポケット１５はポケット構成部１３の軸心の周りに公転する。ポケット１５は、上側位置に達すると上向き姿勢になってケース１の入口２に連通し、下側位置に達すると下向き姿勢になってケース１の出口３に連通する。ポケット１５は、前側位置と後側位置の横向き姿勢のときは、ケース１の周壁に対面して閉鎖する。ケース１の入口２は、ポケット１５が前側位置と後側位置の横向き姿勢と下側位置の下向き姿勢のときは、ポケット構成部１３の外周面に対面して閉鎖する。ケース１の出口３は、ポケット１５が前側位置と後側位置の横向き姿勢と上側位置の上向き姿勢のときは、ポケット構成部１３の外周面に対面して閉鎖する。
【００２７】
回転軸１２は、左右の端部をそれぞれケース１の左右の開口から外側に突出している。ケース１の左右の開口端は、それぞれ、円板形状の端板２１を同心状に固定して閉鎖している。左右の端板２１は、それぞれ、中心孔を左右方向に開け、中心孔に回転軸１２の左右の端部を貫通している。左右の端板２１の外面は、それぞれ、円筒形状の取付部２２を同心状に設けている。左右の取付部２２は、それぞれ、回転軸１２の左右の端部を貫通している。左右の取付部２２と回転軸１２の左右の端部の間には、それぞれ、軸封装置２３を嵌め込んでいる。左右の取付部２２の外端面には、それぞれ、玉軸受２４を同心状に取り付けている。回転軸１２は、左右の軸封装置２３から外側に突出した左右の端部を、それぞれ、左右の玉軸受２４に貫通している。回転軸１２は、左右の端部を左右の取付部２２付き端板２１に玉軸受２４で軸受けしている。
【００２８】
回転軸１２の片端の端部２５は、玉軸受２４から外側に突出している。この突出端部２５は、変速可能な電動機のような回転駆動装置に連結する連結部にしている。連結部２５に回転駆動装置を連結して、回転駆動装置を駆動すると、ロータ１１が回転して、ケース１内のポケット構成部１３が回転する構成にしている。回転駆動装置は、連結部２５に伝動機構を介して連結する構成にしている。又は、伝動機構を介さずに直結する構成にしている。
【００２９】
ケース１とポケット構成部１３は、左右の端部１b、１３aで、それぞれ、内周面と外周面の全周面が、ロータ１１の回転位置に関係なく、常に対面する構成にしている。ケース１の左右の端部１bは、それぞれ、周壁の内周面に潤滑溝３１を周方向に沿って形成している。左右の潤滑溝３１は、それぞれ、ケース１の周壁の内周面を周方向に一回りしている。無端の円環形状にしている。ケース１の左右の端部は、それぞれ、周壁の上側部分に、潤滑溝３１に潤滑材を入れる注入部３２を設けている。左右の注入部３２は、それぞれ、ケース１の周壁の外周面から潤滑溝３１の底面に至る注入通路を形成し、注入通路の外端に常時閉鎖弁を設けている。常時閉鎖弁にグリースガンのような潤滑材の注入機器の注入口を押し当てて注入機器を注入操作すると、常時閉鎖弁が開放して注入通路に注入機器から潤滑材が注入され、注入通路の潤滑材が潤滑溝３１に入る構成にしている。
【００３０】
〈使用方法、作用〉
本例のロータリーバルブを使用するときには、左右の潤滑溝３１に潤滑材を充填し、ロータ１１を一方向に回転し、供給管４に流動体を供給する。すると、供給管４内の流動体は、図４に太い矢印で示すように、ケースの入口２に入り、回転中のロータのポケット１５が上側位置に達して上向き姿勢になって入口２に連通すると、その上向き姿勢のポケット１５に落下して流入する。ロータ１１が更に半回転すると、流動体入りポケット１５は、図５に示す横向き姿勢を経て、図６に示すロータ下側位置の下向き姿勢に至り、出口３に連通する。ポケット１５内の流動体は、ロータの下側位置に達し、図６に太い矢印で示すように、下向き姿勢のポケット１５から落下して流出し、ケースの出口３に入って排出管５に流出する。ロータ下側位置のポケット１５は、流動体の流出で空になり、図７に示す横向き姿勢を経て、図４に示す上側位置の上向き姿勢に戻る。
【００３１】
ロータ１１の回転速度を増減すると、流動体がロータ１１を通過する量が増減する。ロータ１１の回転速度で入口２から出口３への流量を増減する。ロータ１１の回転を止めると、停止中のロータ１１で入口２と出口３が閉鎖する。流動体がロータ１１を通過しなくなる。ロータ１１の回転と停止で入口２から出口３への通路を開閉する。
【００３２】
〈潤滑材〉
潤滑溝３１に入れた潤滑材は、ケース１の内周面とポケット構成部１３の外周面の間の隙間に全周に亘って流出する。その隙間は、潤滑材が充満して閉鎖することになる。密閉性が高くなる。また、ケース１の内周面とポケット構成部１３の外周面が接触して摩擦しても、潤滑材が作用し、発熱や磨耗が発生し難くなる。
【００３３】
潤滑溝３１からケース１とポケット構成部１３の間に流入した潤滑材は、入口２、ポケット１５又は出口３に漏れ出ることがある。また、ケース１とポケット構成部１３の間の潤滑材は、ポケット構成部１３の端面と端板２１の内面の間に流入して端板２１の中心孔の内周面と回転軸１２の外周面の間に流入することがある。
潤滑材は、グリース、石油系潤滑油、動物油、植物油や合成潤滑油など各種の潤滑材が使用可能である。また、凝集剤が潤滑材として使用可能である。
【００３４】
〈潤滑材としての凝集剤〉
流動体が汚泥や汚水のように凝集剤を含むものであるとき、又は、後に凝集剤が添加されるものであるときは、その凝集剤と同種又は異種の凝集剤を潤滑材として使用する。潤滑材として使用する凝集剤は、潤滑溝３１に注入する。潤滑溝３１に入れた凝集剤は、ケース１とポケット構成部１３の間の隙間に流出する。そして、その隙間から入口２、ポケット１５又は出口３に漏れ出て流動体に混入することがある。凝集剤は、凝集剤を含む流動体、又は、後に凝集剤が添加される流動体に混入しても、弊害が生じ難い。
流動体が下水や屎尿の汚泥や汚水であるときは、潤滑材としても作用する凝集剤には、高分子凝集剤が好ましい。エマルジョン型高分子凝集剤が適している。
【００３５】
［第２例（図８〜図１０参照）］
本例のロータリーバルブは、第１例におけるそれに、左右の潤滑溝３１を連通する潤滑溝３３を追加している。
ケース１の周壁の内周面には、図８〜図１０に示すように、左右の円環形状の潤滑溝３１に掛け渡して直線形状の潤滑溝３３を左右方向に沿って設けている。
【００３６】
左右の注入部３２の片方から、その注入部３２と連通する片方の円環形状の潤滑溝３１に潤滑材を注入すると、その潤滑材は、直線形状の潤滑溝３３を通って他方の円環形状の潤滑溝３１に流入する。片方の注入部３２での注入操作で、潤滑材は、左右の円環形状の潤滑溝３１と中央の直線形状の潤滑溝３３に充填される。
潤滑材は、左右位置の潤滑溝３１と中央位置の潤滑溝３３に入れると、ケース１とポケット構成部１３の間の隙間の全域に分布し易い。
その他の点は、第１例におけるのと同様である。第１例におけるのと同様な部分には、図中、第１例におけるのと同一の符号を付ける。
【００３７】
［第３例（図１１と図１２参照）］
本例のロータリーバルブは、潤滑溝を設ける部材を、第１例におけるケース１に替えて、ポケット構成部１３にしている。
【００３８】
ポケット構成部１３は、図１１と図１２に示すように、左右の端部１３aの外周面に、それぞれ、潤滑溝４１を周方向に沿って形成している。左右の潤滑溝４１は、それぞれ、ポケット構成部１３の外周面を周方向に一回りしている。無端の円環形状にしている。
【００３９】
ケース１の左右の端部１bは、それぞれ、周壁の上側部分に、潤滑溝４１に潤滑材を入れる注入部４２を設けている。左右の注入部４２は、それぞれ、ケース１の周壁の外周面から周壁の内周面に至る注入通路を形成している。注入通路の外端には、第１例におけるのと同様な常時閉鎖弁を設けている。注入通路の内端は、ポケット構成部１３の外周面に開口した潤滑溝４１に対面して臨んでいる。常時閉鎖弁にグリースガンのような潤滑材の注入機器の注入口を押し当てて注入機器を注入操作すると、常時閉鎖弁が開放して注入通路に注入機器から潤滑材が注入され、注入通路の潤滑材が潤滑溝４１に入る構成にしている。
その他の点は、第１例におけるのと同様である。第１例におけるのと同様な部分には、図中、第１例におけるのと同一の符号を付ける。
【００４０】
［変形例］
本発明は、上記の実施形態に限定されない。次のような変形が例示される。
１．上記の実施形態において、潤滑溝３１、３３、４１は、ケース１とポケット構成部１３の片方に設けているが、両方に設ける。
２．上記の実施形態において、左右の潤滑溝３１、４１は、無端の円環形状にしているが、有端の円弧形状にする。
３．上記の実施形態において、ポケット１５の個数は、１個にしているが、２個又は３個にする。２個のポケットは、ポケット構成部１３の軸心を挟んで対称位置に配置する。３個のポケットは、ポケット構成部１３の軸心の周りに等間隔位置に配置する。
【産業上の利用可能性】
【００４１】
本発明は、汚泥や汚水、焙煎済みの豆類、粉粒体や固液混合体などの流動体の流れの制御に利用することができる。
【符号の説明】
【００４２】
１  ケース
１a  ケースの中央部
１b  ケースの左右の端部
２  ケースの入口
３  ケースの出口
４  供給管
５  排出管
１１  ロータ
１２  ロータの回転軸
１３  ロータのポケット構成部、丸軸形状体
１３a  ポケット構成部の中央部
１３b  ポケット構成部の左右の端部
１４  キー
１５  ポケット
２１  端板
２２  取付部
２３  軸封装置
２４  玉軸受
２５  回転軸の端部、突出端部、連結部
３１、３３、４１  潤滑溝
３１、４１  左右の潤滑溝
３３  中央の潤滑溝
３２、４２  注入部
【図１】
2014069920.tif 000003
【図２】
2014069920.tif 000004
【図３】
2014069920.tif 000005
【図４】
2014069920.tif 000006
【図５】
2014069920.tif 000007
【図６】
2014069920.tif 000008
【図７】
2014069920.tif 000009
【図８】
2014069920.tif 000010
【図９】
2014069920.tif 000011
【図１０】
2014069920.tif 000012
【図１１】
2014069920.tif 000013
【図１２】
2014069920.tif 000014